(57)【要約】【課題】本発明は簡単に表示装置の表示を変換して新台に入れ替えたと同様な効果が得られ、経済的で非常に安価に使用することができ、回動する回動体に取付けられた第１のスロット装置および第２のスロット装置に接続された制御回路を備える基板に整理整頓された状態で配線され、回動体の回動をスムーズに行なうことができるパチンコ機等の遊戯装置およびその表示装置を得るにある。【解決手段】ベース板に透孔を形成し、該透孔を介して前面より見える部位に表示装置を備えたパチンコ機等の遊戯装置において、前記表示装置を前記ベース板の裏面に回動可能に取付けられた回動体と、この回動体に取付けられた複数個の回転ドラムあるいは複数個の表示ベルトを備えるスロット装置及び該スロット装置とは異なる第２のスロット装置とを備え第１のスロット装置および第２のスロット装置を駆動を制御する制御回路および並列状態で形成された多数個の接続片を並列配置した入力端子を有する基板と、この基板の入力端子に接続されたテープケーブルとでパチンコ機等の遊戯装置を構成している。【選択図】  図２
2004358130.tif 000002
【特許請求の範囲】
【請求項１】
ベース板に透孔を形成し、該透孔を介して前面より見える部位に表示装置を備えたパチンコ機等の遊戯装置において、前記表示装置を前記ベース板の裏面に回動可能に取付けられた回動体と、この回動体の前面が前記透孔部に位置すると、該透孔部を介して見ることができるように取付けられた複数個の回転ドラムあるいは複数個の表示ベルトを備えるスロット装置と、前記回動体の裏面、平面あるいは底面のいずれかが前記透孔に位置すると、該透孔を介して見ることができるように取付けられた前記スロット装置とは異なる第２のスロット装置と、前記回動体をあらかじめ設定された部位に回動させる回動装置と、前記回動体に取付けられた前記第１のスロット装置および前記第２のスロット装置に接続された、これらの駆動を制御する制御回路および並列状態で形成された多数個の接続片を並列配置した入力端子を有する基板と、この基板の入力端子に接続されたフレキシブルフラットケーブル、フレキシブルプリントサーキット等のテープケーブルとからなることを特徴とするパチンコ機等の遊戯装置。
【請求項２】
ベース板に透孔を形成し、該透孔を介して前面より見える部位に表示装置を備えたパチンコ機等の遊戯装置において、前記表示装置を前記ベース板の裏面に回動可能に取付けられた回動体と、この回動体の前面が前記透孔部に位置すると、該透孔部を介して見ることができるように取付けられた複数個の回転ドラムあるいは複数個の表示ベルトを備えるスロット装置と、前記回動体の裏面、平面あるいは底面のいずれかが前記透孔に位置すると、該透孔を介して見ることができるように取付けられた前記スロット装置とは異なる第２のスロット装置と、前記回動体をあらかじめ設定された部位に回動させる回動装置と、前記回動体に取付けられた第１のスロット装置および前記第２のスロット装置に接続された、これらの駆動を制御する制御回路および複数列に配置された多数個の接続片を並列配置した入力端子を有する基板と、この基板の複数列の入力端子に接続されたフレキシブルフラットケーブル、フレキシブルプリントサーキット等の複数個のテープケーブルとからなることを特徴とするパチンコ機等の遊戯装置。
【請求項３】
パチンコ機等の遊戯装置のベース板の透孔が形成された部位の裏面に固定されたケース体内に回動可能に取付けられた回動体と、この回動体の前面が前記透孔部に位置すると該透孔部を介して見ることができるように取付けられた複数個の回転ドラムあるいは複数個の表示ベルトを備えるスロット装置と、前記回動体の裏面、平面あるいは底面のいずれかが前記透孔に位置すると、該透孔を介して見ることができるように取付けられた、前記スロット装置とは異なる第２のスロット装置と、前記回動体をあらかじめ設定された部位に回動させる前記ケース体に取付けられた回動装置と、前記回動体に取付けられた前記第１のスロット装置および前記第２のスロット装置に接続された、これらの駆動を制御する制御回路および多数個の接続片を並列配置した入力端子を有する基板と、この基板の多数個の入力端子接続されたフレキシブルフラットケーブル、フレキシブルプリントサーキット等のテープケーブルとからなることを特徴とするパチンコ機等の遊戯装置用表示装置。
【請求項４】
パチンコ機等の遊戯装置のベース板の透孔が形成された部位の裏面に固定されたケース体内に回動可能に取付けられた回動体と、この回動体の前面が前記透孔部に位置すると該透孔部を介して見ることができるように取付けられた複数個の回転ドラムあるいは複数個の表示ベルトを備えるスロット装置と、前記回動体の裏面、平面あるいは底面のいずれかが前記透孔に位置すると、該透孔を介して見ることができるように取付けられた、前記スロット装置とは異なる第２のスロット装置と、前記回動体をあらかじめ設定された部位に回動させる前記ケース体に取付けられた回動装置と、前記回動体に取付けられた第１のスロット装置および前記第２のスロット装置に接続された、これらの駆動を制御する制御回路および複数列に配置された多数個の接続片を並列配置した入力端子を有する基板と、この基板の複数列の入力端子に接続されたフレキシブルフラットケーブル、フレキシブルプリントサーキット等の複数個のテープケーブルとからなることを特徴とするパチンコ機等の遊戯装置。
【発明の詳細な説明】
【０００１】
【発明の属する技術分野】
本発明はパチンコ機やスロットマシン等の遊戯装置およびその表示装置に関する。
【０００２】
【従来の技術】
従来のこの種の遊戯装置は、複数個の回転ドラムを備えるスロット装置を表示装置として、ベース板の透孔部位に設置されている。
【０００３】
【発明が解決しようとする課題】
従来の遊戯装置の表示装置は、ベース板に透孔を形成し、該透孔よりスロット装置の複数個の回転ドラムが見えるように取付けられているので、異なるデザインや形状の表示装置に、簡単に変換して使用することができないという欠点があった。
このため、遊戯者に飽きられないように短期間に表示装置やベース板等のデザインが異なる新台に入れ替えしなければならず、コスト高になるとともに、経済的に使用することができないという欠点があった。
【０００４】
本発明は以上のような従来の欠点に鑑み、簡単に表示装置の表示を変換して新台に入れ替えたと同様な効果が得られる、経済的に使用することができるとともに、新台に入れ替えることを考えると非常に安価に使用することができ、回動する回動体に取付けられた第１のスロット装置および第２のスロット装置に接続された制御回路を備える基板に整理整頓された状態で配線され、回動体の回動をスムーズに行なうことができるパチンコ機等の遊戯装置およびその表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はベース板に透孔を形成し、該透孔を介して前面より見える部位に表示装置を備えたパチンコ機等の遊戯装置において、前記表示装置を前記ベース板の裏面に回動可能に取付けられた回動体と、この回動体の前面が前記透孔部に位置すると、該透孔部を介して見ることができるように取付けられた複数個の回転ドラムあるいは複数個の表示ベルトを備えるスロット装置と、前記回動体の裏面、平面あるいは底面のいずれかが前記透孔に位置すると該透孔を介して見ることができるように取付けられた前記スロット装置とは異なる第２のスロット装置と、前記回動体をあらかじめ設定された部位に回動させる回動装置と、前記回動体に取付けられた前記第１のスロット装置および前記第２のスロット装置に接続された、これらの駆動を制御する制御回路および並列状態で形成された多数個の接続片を並列配置した入力端子を有する基板と、この基板の入力端子に接続されたフレキシブルフラットケーブル、フレキシブルプリントサーキット等のテープケーブルとでパチンコ機等の遊戯装置を構成している。
【０００７】
また、本発明はパチンコ機等の遊戯装置のベース板の透孔が形成された部位の裏面に固定されたケース体内に回動可能に取付けられた回動体と、この回動体の前面が前記透孔部に位置すると該透孔部を介して見ることができるように取付けられた複数個の回転ドラムあるいは複数個の表示ベルトを備えるスロット装置と、前記回動体の裏面、平面あるいは底面のいずれかが前記透孔に位置すると、該透孔を介して見ることができるように取付けられた、前記スロット装置とは異なる第２のスロット装置と、前記回動体をあらかじめ設定された部位に回動させる前記ケース体に取付けられた回動装置と、前記回動体に取付けられた前記第１のスロット装置および前記第２のスロット装置に接続された、これらの駆動を制御する制御回路および多数個の接続片を並列配置した入力端子を有する基板と、この基板の多数個の入力端子接続されたフレキシブルフラットケーブル、フレキシブルプリントサーキット等のテープケーブルとでパチンコ機等の遊戯装置用表示装置を構成している。
【０００８】
【発明の実施の形態】
以下、図面に示す実施の形態により、本発明を詳細に説明する。
【０００９】
図１ないし図１１に示す本発明の第１の実施の形態において、１はパチンコ機として使用される本発明の遊戯装置で、この遊戯装置１はベース板２に形成された透孔３を介して見えるように設置された表示装置４以外は従来のパチンコ機と同様の構成が使用されている。
【００１０】
前記表示装置４は前記透孔３の外周部の背面部位のベース板２に複数本のビス５等によって固定される前面に前記透孔３と同じ大きさあるいは少し大きめの開口部６が形成されたケース体７と、このケース体７のほぼ中央部の両側壁７ａ、７ａの軸受部材８、８に回転可能に軸９が支持された、前面と裏面の大きさがほぼ前記透孔３の大きさと同じ大きさで、平面および底面の大きさがほぼ透孔３の半分の大きさに形成された回動体１０と、この回動体１０の前面が前記透孔３に位置すると、該透孔３を介して見ることができるとともに、平面あるいは底面が前記透孔３に位置すると、該透孔３を介して一方だけを見ることができるように該回動体１０の前面に２列にそれぞれ３個直列配置された、該回動体１０に固定された取付板１１、１１、１１、１１、１１、１１、この取付板１１、１１、１１、１１、１１、１１に固定されたパルスモータ等のモータ１２、１２、１２、１２、１２、１２、このモータ１２、１２、１２、１２、１２、１２の駆動軸１３、１３、１３、１３、１３、１３に取付けられた該モータ１２、１２、１２、１２、１２、１２を覆う表示ドラム１４、１４、１４、１４、１４、１４とからなる２個のスロット装置１５、１５Ａと、前記回動体１０の平面あるいは底面、本発明の実施の形態では平面が前記透孔３に位置すると、該透孔３および回動体１０の平面の開口部１６を介して見ることができるように、該回動体１０に取付けられた前記２個のスロット装置１５、１５Ａとは異なるパルスモータ等のモータ１７、このモータ１７の駆動軸１８に取付けられた表示ドラム１９とからなる第２のスロット装置２０と、前記回動体１０の裏面が前記透孔３に位置すると、該透孔３を介して見ることができるように該回動体１０の裏面に取付けられた多数個のデジタル表示部２１を備える第３のスロット装置２２と、前記回動体１０の一端部に固定された前記２個のスロット装置１５、１５Ａのモータ１２、１２、１２、１２、１２、１２、前記第２のスロット装置２０のモータ１７および前記第３のスロット装置２２の多数個のデジタル表示部２１の駆動を制御するように接続された制御回路２３および３列に配置された多数個の接続片２４を並列状態に配置された入力端子２５、２５、２５を有する基板２６と、この基板２６の３列に配置された入力端子２５、２５、２５の多数個の接続片２４に接続され、前記ケース体７の側面下部に形成された開口部２７より弧状の遊び寸法を介して外部へ導かれるフレキシブルフラットケーブル、フレキシブルプリントサーキット等のテープケーブル２８、２８、２８と、このテープケーブル２８、２８、２８の移動時に前記基板２６との接続部が損傷しないようにガイドするガイド部材２９および該テープケーブル２８、２８、２８の移動をスムーズにさせるためのガイド部材３０と、前記回動体１０を９０゜づつ１８０゜回動できるように、前記ケース体７内に取付けられたステッピングモータ等のモータ３１を用いた回動装置３２とで構成されている。
【００１１】
上記構成の遊戯装置１はベース板２の透孔３より、図１に示すように表示装置４の２個のスロット装置１５、１５Ａが見えるように位置させて使用する。
この場合、２個のスロット装置１５、１５Ａは従来のスロット装置と同様な動作を行なうゲームを楽しむことができる。
【００１２】
回動装置３２のモータ３１を駆動させて、回動体１０を９０゜回動させると、図８に示すようにベース板２の透孔３より第２のスロット装置２０とスロット装置１５Ａとが見えるように位置する。
このため、第２のスロット装置２０とスロット装置１５Ａとの組み合わせによる動作を行なうゲームを楽しむことができる。
【００１３】
回動装置３２のモータ３１をさらに駆動させて、回動体１０をさらに９０゜回動させると、図１０に示すようにベース板２の透孔３より第３のスロット装置２２が見えるように位置する。
このため、第３のスロット装置２２の多数個のデジタル表示部２１の表示動作によるゲームを楽しむことができる。
【００１４】
このため、上記構成の遊戯装置１は回動装置３２のモータ３１を正・逆方向に９０゜づつ回動させることにより、２個のスロット装置１５、１５Ａの表示、２個のスロット装置１５、１５Ａの内の１個のスロット装置１５Ａと第２のスロット装置２０の表示、第３のスロット装置２２の表示のいずれかにして使用することができるとともに、回動装置３２のモータ３１によって回動体１０を回動させても、テープケーブル２８、２８、２８を用いて表示装置４の外部配線を行なっているため、テープケーブル２８、２８、２８がスムーズに回動体１０の回動に追従して移動させることができる。
【００１５】
【発明の異なる実施の形態】
次に、図１２ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１２ないし図１４に示す本発明の第２の実施の形態において、前記本発明の第１の実施の形態と主に異なる点は、３列に配置された表示が順次変わるようにデジタル表示部２１、２１、２１、２１、２１、２１、２１、２１、２１を備えた第３のスロット装置２２Ａを用いた点で、このように構成された表示装置４Ａを用いたパチンコ機として使用される遊戯装置１Ａにしても、前記本発明の第１の実施の形態と同様な作用効果が得られる。
【００１７】
図１５ないし図１８に示す本発明の第３の実施の形態において、前記本発明の第１の実施の形態と主に異なる点は、２個のスロット装置１５、１５Ａと第２のスロット装置２０を回動体１０に取付けるとともに、該回動体１０を９０゜回動できる回動装置３２Ａを用いた点で、このように構成された表示装置４Ｂを用いたパチンコ機として使用される遊戯装置１Ｂにしても、前記本発明の第１の実施の形態と同様な作用効果が得られる。
【００１８】
図１９ないし図２１に示す本発明の第４の実施の形態において、前記本発明の第２の実施の形態と主に異なる点は、２個のスロット装置に代え、信号の入力によって回転し、所定量回動すると電子制御によって停止するパルスモータ等のモータ３１で駆動されるように回動体１０の前面に取付けられた駆動ドラム３３と、この駆動ドラム３３の下部位置の回動体１０に回動可能に取付けられた従動ドラム３４と、この従動ドラム３４と前記駆動ドラム３３に掛け渡された多数の表示３５が付されたタイミングベルト等の位置決めが可能な表示ベルト３６とからなる３個のスロット装置２２Ｂ、２２Ｂ、２２Ｂを用いた点で、このような３個のスロット装置２２Ｂ、２２Ｂ、２２Ｂを使用する表示装置４Ｃを用いて構成したパチンコ機として使用される遊戯装置１Ｃにしても、前記本発明の第２の実施の形態と同様な作用効果が得られる。
【００１９】
なお、前記本発明の各実施の形態では、パチンコ機として使用される遊戯装置１、１Ａ、１Ｂ、１Ｃについて説明したが、本発明はこれに限らず、スロットマシン等の遊戯装置にも同様に使用することができる。
【００２０】
【発明の効果】
以上の説明から明らかなように、本発明にあっては次に列挙する効果が得られる。
【００２１】
（１）ベース板に透孔を形成し、該透孔を介して前面より見える部位に表示装置を備えたパチンコ機等の遊戯装置において、前記表示装置を前記ベース板の裏面に回動可能に取付けられた回動体と、この回動体の前面が前記透孔部に位置すると、該透孔部を介して見ることができるように取付けられた複数個の回転ドラムあるいは複数個の表示ベルトを備えるスロット装置と、前記回動体の裏面、平面あるいは底面のいずれかが前記透孔に位置すると、該透孔を介して見ることができるように取付けられた前記スロット装置とは異なる第２のスロット装置と、前記回動体をあらかじめ設定された部位に回動させる回動装置と、前記回動体に取付けられた前記第１のスロット装置および前記第２のスロット装置に接続された、これらの駆動を制御する制御回路および並列状態で形成された多数個の接続片を並列配置した入力端子を有する基板と、この基板の入力端子に接続されたフレキシブルフラットケーブル、フレキシブルプリントサーキット等のテープケーブルとで構成されているので、回動装置の作動によって回動体を回動させてベース板の透孔より見ることができる表示装置のスロット装置を代えることができる。
したがって、新台に入れ替えたと同様な効果が得られ、経済的に使用することができる。
【００２２】
（２）前記（１）によって、回動体を回動させても、回動体に取付けられている基板の入力端子と外部とを接続するためにフレキシブルフラットケーブル、フレキシブルプリントサーキット等のテープケーブルを用いているので、多数本のケーブルを整理整頓された状態で配線することができるとともに、回動体が回動しても、該回動体の回動をじゃましたりすることなく、スムーズに回動体の回動に応じてテープケーブルが変形して追従させることができる。
したがって、回動体の回動不良や外部接続用ケーブルの切断事故を効率よく阻止することができる。
【００２３】
（３）前記（１）によって、回動装置で回動体を回動させるだけで表示を代えることができる。
したがって、表示を代える作業が容易で、短時間に行なうことができる。
【００２４】
（４）前記（１）によって、新台に入れ替える場合に比べ、非常に安価で、長期間使用することができる。
【００２５】
（５）請求項２、３も前記（１）〜（４）と同様な効果が得られる。
【図面の簡単な説明】
【図１】本発明の第１の実施の形態の遊戯装置の正面図。
【図２】本発明の第１の実施の形態の遊戯装置の側面図。
【図３】本発明の第１の実施の形態の遊戯装置の背面図。
【図４】２個のスロット装置を前方に位置させた表示装置の正面図。
【図５】２個のスロット装置を前方に位置させた表示装置の平面図。
【図６】２個のスロット装置を前方に位置させた表示装置の側面図。
【図７】２個のスロット装置を前方に位置させた表示装置の背面図。
【図８】第２のスロット装置を前方に位置させた表示装置の正面図。
【図９】第２のスロット装置を前方に位置させた表示装置の側面図。
【図１０】第３のスロット装置を前方に位置させた表示装置の正面図。
【図１１】第３のスロット装置を前方に位置させた表示装置の側面図。
【図１２】本発明の第２の実施の形態の遊戯装置の正面図。
【図１３】２個のスロット装置を前方に位置させた表示装置の正面図。
【図１４】第３のスロット装置を前方に位置させた表示装置の正面図。
【図１５】本発明の第３の実施の形態の遊戯装置の正面図。
【図１６】２個のスロット装置を前方に位置させた表示装置の正面図。
【図１７】２個のスロット装置を前方に位置させた表示装置の背面図。
【図１８】第２のスロット装置を前方に位置させた表示装置の正面図。
【図１９】本発明の第４の実施の形態の遊戯装置の正面図。
【図２０】３個のスロット装置を前方に位置させた表示装置の正面図。
【図２１】３個のスロット装置を前方に位置させた表示装置の概略側面図。
【符号の説明】
１、１Ａ、１Ｂ、１Ｃ：遊戯装置、
２：ベース板、          ３：透孔、
４、４Ａ、４Ｂ、４Ｃ：表示装置、
５：ビス、              ６：開口部、
７：ケース体、          ８：軸受部材、
９：軸、                １０：回動体、
１１：取付板、          １２：モータ、
１３：駆動軸、          １４：表示ドラム、
１５、１５Ａ：スロット装置、
１６：開口部、          １７：モータ、
１８：駆動軸、          １９：表示ドラム、
２０：第２のスロット装置、
２１：デジタル表示部、
２２、２２Ａ、２２Ｂ：第３のスロット装置、
２３：制御回路、        ２４：接続片、
２５：入力端子、        ２６：基板、
２７：開口部、          ２８：テープケーブル、
２９、３０：ガイド部材、３１：モータ、
３２、３２Ａ：回動装置、３３：駆動ドラム、
３４：従動ドラム、      ３５：表示、
３６：表示ドラム。
【図１】
2004358130.tif 000003
【図２】
2004358130.tif 000004
【図３】
2004358130.tif 000005
【図４】
2004358130.tif 000006
【図５】
2004358130.tif 000007
【図６】
2004358130.tif 000008
【図７】
2004358130.tif 000009
【図８】
2004358130.tif 000010
【図９】
2004358130.tif 000011
【図１０】
2004358130.tif 000012
【図１１】
2004358130.tif 000013
【図１２】
2004358130.tif 000014
【図１３】
2004358130.tif 000015
【図１４】
2004358130.tif 000016
【図１５】
2004358130.tif 000017
【図１６】
2004358130.tif 000018
【図１７】
2004358130.tif 000019
【図１８】
2004358130.tif 000020
【図１９】
2004358130.tif 000021
【図２０】
2004358130.tif 000022
【図２１】
2004358130.tif 000023